(57)【要約】  本技術の一形態に係る再生装置は、再生部と、検出部と、生成部とを具備する。前記再生部は、コンテンツを再生可能である。前記検出部は、前記コンテンツを再生可能な他の再生装置から送信されるビーコン信号を受信して、近傍に位置する１以上の近傍の再生装置を検出する。前記生成部は、自装置が表示される第１の領域と、前記検出された１以上の近傍の再生装置の各々が前記受信されたビーコン信号に基づいた順番で表示される第２の領域とを含む操作用画像を生成する。
2018146982.tif 000002
【特許請求の範囲】
【請求項１】
コンテンツを再生可能な再生部と、
前記コンテンツを再生可能な他の再生装置から送信されるビーコン信号を受信して、近傍に位置する１以上の近傍の再生装置を検出する検出部と、
自装置が表示される第１の領域と、前記検出された１以上の近傍の再生装置の各々が前記受信されたビーコン信号に基づいた順番で表示される第２の領域とを含む操作用画像を生成する生成部と
を具備する再生装置。
【請求項２】
請求項１に記載の再生装置であって、さらに、
前記１以上の近傍の再生装置が検出されない場合に、前記再生部に前記コンテンツを再生させる再生制御部を具備する
再生装置。
【請求項３】
請求項１に記載の再生装置であって、
前記第１の領域は、前記操作用画像内において、前記第２の領域よりも上位に設定される
再生装置。
【請求項４】
請求項１に記載の再生装置であって、
前記生成部は、前記受信されたビーコン信号の強度が強い順番で前記１以上の近傍の再生装置の各々を前記第２の領域に表示させる
再生装置。
【請求項５】
請求項２に記載の再生装置であって、
前記再生制御部は、前記第２の領域に表示される前記１以上の近傍の再生装置から、前記コンテンツの再生を指示する対象となる前記他の再生装置を選択する
再生装置。
【請求項６】
請求項２に記載の再生装置であって、
前記再生制御部は、前記第２の領域の最上位に表示される前記近傍の再生装置に、前記コンテンツの再生を指示する
再生装置。
【請求項７】
請求項１に記載の再生装置であって、
前記生成部は、前記近傍の再生装置の情報として、前記再生装置から前記近傍の再生装置までの距離、及び前記近傍の再生装置に関する装置情報の少なくとも一方を、前記第２の領域に表示させる
再生装置。
【請求項８】
請求項７に記載の再生装置であって、
前記近傍の再生装置に関する装置情報は、前記近傍の再生装置を構成する機能部品の情報を含む
再生装置。
【請求項９】
請求項１に記載の再生装置であって、
前記生成部は、前記近傍の再生装置の情報として、前記第２の領域に過去に表示された際の表示の順位を、前記第２の領域に表示させる
再生装置。
【請求項１０】
請求項１に記載の再生装置であって、
前記生成部は、過去に前記近傍の再生装置として検出され、現在は前記近傍の再生装置として検出されない前記他の再生装置を、前記操作用画像内にて識別可能に表示させる
再生装置。
【請求項１１】
請求項１に記載の再生装置であって、
前記生成部は、前記第２の領域に表示される前記１以上の近傍の再生装置から、前記コンテンツの再生に最適な前記近傍の再生装置を選択して、前記第２の領域内にて識別可能に表示させる
再生装置。
【請求項１２】
請求項１に記載の再生装置であって、
前記検出部は、前記受信したビーコン信号の強度が所定の閾値以上である場合に、当該ビーコン信号を送信した前記他の再生装置を前記近傍の再生装置として検出する
再生装置。
【請求項１３】
請求項１に記載の再生装置であって、
前記検出部は、前記受信したビーコン信号を送信した前記他の再生装置を前記近傍の再生装置として検出する
再生装置。
【請求項１４】
請求項１に記載の再生装置であって、
前記ユーザにより保持可能である
再生装置。
【請求項１５】
コンテンツを再生可能な他の再生装置から送信されるビーコン信号を受信して、近傍に位置する１以上の近傍の再生装置を検出し、
自装置が表示される第１の領域と、前記検出された１以上の近傍の再生装置の各々が前記受信されたビーコン信号に基づいた順番で表示される第２の領域とを含む操作用画像を生成する
ことをコンピュータシステムが実行する情報処理方法。
【請求項１６】
前記コンテンツを再生可能な他の再生装置から送信されるビーコン信号を受信して、近傍に位置する１以上の近傍の再生装置を検出するステップと、
自装置が表示される第１の領域と、前記検出された１以上の近傍の再生装置の各々が前記受信されたビーコン信号に基づいた順番で表示される第２の領域とを含む操作用画像を生成するステップと
をコンピュータシステムに実行させるプログラム。
【発明の詳細な説明】
【技術分野】
【０００１】
本技術は、コンテンツを再生する再生装置、これに適用可能な情報処理方法、及びプログラムに関する。
【背景技術】
【０００２】
従来、家庭内にホームネットワークを構築し、そこに接続された再生装置により、音楽や映像等のコンテンツを再生するシステムが知られている。例えば特許文献１に記載の再生システムでは、ユーザが使用する制御装置により、近距離無線通信を利用して近隣の再生装置が検出される。またユーザにより選択されたコンテンツを保持するサーバ装置とネットワークを介して通信可能な再生装置が検出される。サーバ装置と通信可能な再生装置の中に、近隣の再生装置が存在する場合には、当該近隣の再生装置が上位に並べられたリストが表示される。これによりユーザは近隣に位置している再生装置を簡単に選択することが可能となり、コンテンツを再生させることが可能となる（特許文献１の明細書段落［００３９］〜［００５５］等）。
【先行技術文献】
【特許文献】
【０００３】
【特許文献１】特開２００９−１２９１９４号公報
【発明の概要】
【発明が解決しようとする課題】
【０００４】
このようにネットワーク等を介してコンテンツの再生を制御するシステムにおいて、ユーザの利便性を向上させることが可能な技術が求められている。【０００５】
以上のような事情に鑑み、本技術の目的は、コンテンツの再生制御に関するユーザの利便性を向上させることを可能とする再生装置、情報処理方法、及びプログラムを提供することにある。
【課題を解決するための手段】
【０００６】
上記目的を達成するため、本技術の一形態に係る再生装置は、再生部と、検出部と、生成部とを具備する。
前記再生部は、コンテンツを再生可能である。
前記検出部は、前記コンテンツを再生可能な他の再生装置から送信されるビーコン信号を受信して、近傍に位置する１以上の近傍の再生装置を検出する。
前記生成部は、自装置が表示される第１の領域と、前記検出された１以上の近傍の再生装置の各々が前記受信されたビーコン信号に基づいた順番で表示される第２の領域とを含む操作用画像を生成する。【０００７】
この再生装置では、ビーコン信号を受信することで、近傍の再生装置が検出される。そして自装置と近傍の再生装置とを含む操作用画像が生成される。これにより自装置によるコンテンツの再生や近傍の再生装置によるコンテンツの再生等を容易に制御することが可能となり、ユーザの利便性を向上させることが可能となる。【０００８】
前記再生装置は、さらに、前記１以上の近傍の再生装置が検出されない場合に、前記再生部に前記コンテンツを再生させる再生制御部を具備してもよい。
これにより例えばコンテンツが再生されない状況等を回避することが可能となる。【０００９】
前記第１の領域は、前記操作用画像内において、前記第２の領域よりも上位に設定されてもよい。
これにより例えばユーザによる再生装置の選択が容易となる。【００１０】
前記生成部は、前記受信されたビーコン信号の強度が強い順番で前記１以上の近傍の再生装置の各々を前記第２の領域に表示させてもよい。
これにより近傍の再生装置が近い順に表示されるので、再生装置の選択が容易となる。【００１１】
前記再生制御部は、前記第２の領域に表示される前記１以上の近傍の再生装置から、前記コンテンツの再生を指示する対象となる前記他の再生装置を選択してもよい。
これにより例えば再生装置の選択操作を省いたコンテンツの自動再生等を実現することが可能となる。【００１２】
前記再生制御部は、前記第２の領域の最上位に表示される前記近傍の再生装置に、前記コンテンツの再生を指示してもよい。
これにより例えば再生装置を保持するユーザが、所望の他の再生装置に近づくことで、当該他の再生装置にコンテンツを再生させることが可能となる。【００１３】
前記生成部は、前記近傍の再生装置の情報として、前記再生装置から前記近傍の再生装置までの距離、及び前記近傍の再生装置に関する装置情報の少なくとも一方を、前記第２の領域に表示させてもよい。
これにより例えばユーザによる再生装置の選択が容易となる。【００１４】
前記近傍の再生装置に関する装置情報は、前記近傍の再生装置を構成する機能部品の情報を含んでもよい。
これにより例えば再生装置の機能等に基づいて選択を行うことが可能となる。【００１５】
前記生成部は、前記近傍の再生装置の情報として、前記第２の領域に過去に表示された際の表示の順位を、前記第２の領域に表示させてもよい。
これにより例えばユーザによる再生装置の選択が容易となる。【００１６】
前記生成部は、過去に前記近傍の再生装置として検出され、現在は前記近傍の再生装置として検出されない前記他の再生装置を、前記操作用画像内にて識別可能に表示させてもよい。
これにより過去に検出されており現在は検出されていない他の再生装置を容易に把握することが可能となる。【００１７】
前記生成部は、前記第２の領域に表示される前記１以上の近傍の再生装置から、前記コンテンツの再生に最適な前記近傍の再生装置を選択して、前記第２の領域内にて識別可能に表示させてもよい。
これにより例えばユーザによる再生装置の選択が容易となる。【００１８】
前記検出部は、前記受信したビーコン信号の強度が所定の閾値以上である場合に、当該ビーコン信号を送信した前記他の再生装置を前記近傍の再生装置として検出してもよい。
これにより近傍の再生装置を精度よく検出することが可能となる。【００１９】
前記検出部は、前記受信したビーコン信号を送信した前記他の再生装置を前記近傍の再生装置として検出してもよい。
これにより近傍の再生装置にかかる処理負担を軽減することが可能となる。【００２０】
前記再生装置は、前記ユーザにより保持可能であってもよい。
本再生装置を保持することでコンテンツの再生制御に関するユーザの利便性が向上される。【００２１】
本技術の一形態に係る情報処理方法は、コンピュータシステムにより実行される情報処理方法であって、コンテンツを再生可能な他の再生装置から送信されるビーコン信号を受信して、近傍に位置する１以上の近傍の再生装置を検出することを含む。
自装置が表示される第１の領域と、前記検出された１以上の近傍の再生装置の各々が前記受信されたビーコン信号に基づいた順番で表示される第２の領域とを含む操作用画像が生成される。【００２２】
本技術の一形態に係るプログラムは、コンピュータシステムに以下のステップを実行させる。
前記コンテンツを再生可能な他の再生装置から送信されるビーコン信号を受信して、近傍に位置する１以上の近傍の再生装置を検出するステップ。
自装置が表示される第１の領域と、前記検出された１以上の近傍の再生装置の各々が前記受信されたビーコン信号に基づいた順番で表示される第２の領域とを含む操作用画像を生成するステップ。
【発明の効果】
【００２３】
以上のように、本技術によれば、コンテンツの再生制御に関するユーザの利便性を向上させることが可能となる。なお、ここに記載された効果は必ずしも限定されるものではなく、本開示中に記載されたいずれかの効果であってもよい。
【図面の簡単な説明】
【００２４】
【図１】一実施形態に係るコンテンツ再生システムの構成例を示す概略図である。
【図２】携帯端末の構成例を示すブロック図である。
【図３】複数の再生装置、サーバ装置及び携帯端末の接続形態を模式的に示す図である。
【図４】コンテンツの再生処理の一例を示すフローチャートである。
【図５】コンテンツリストの一例を示す模式図である。
【図６】近傍の再生装置が検出された場合の再生装置リストの一例を示す模式図である。
【図７】コンテンツの再生中に表示される再生画面の一例を示す模式図である。
【図８】近傍の再生装置が検出されない場合の再生装置リストの一例を示す模式図である。
【図９】再生装置リストの他の例を示す模式図である。
【図１０】再生装置リストの他の例を示す模式図である。
【発明を実施するための形態】
【００２５】
以下、本技術に係る実施形態を、図面を参照しながら説明する。
【００２６】
［コンテンツ再生システム］
図１は、本技術の一実施形態に係るコンテンツ再生システムの構成例を示す概略図である。コンテンツ再生システム１００は、家庭内に構築されたホームネットワーク１と、これに接続された複数の再生装置１０、コンテンツを提供するサーバ装置２０、及び携帯端末３０を有する。
【００２７】
複数の再生装置１０、サーバ装置２０、及び携帯端末３０は、アクセスポイント５を介して、ＷｉＦｉ等の無線ＬＡＮ通信によりホームネットワーク１に接続される。ホームネットワーク１としては、例えばＤＬＮＡ（登録商標）（Digital Living Network Alliance）規格に準拠したネットワークが用いられる。
【００２８】
例えば複数の再生装置１０はＤＭＲ（Digital Media Renderer）として機能し、サーバ装置２０はＤＭＳ（Digital Media Server）として機能する。また携帯端末３０は、ＤＭＣ（Digital Media Controller）として機能する。なお他のプロトコルを利用したネットワークが構築される場合にも、本技術は適用可能である。
【００２９】
図１に示すように、複数の再生装置１０は、リビングルーム、ホビールーム、及びベッドルームの各部屋に配置される。携帯端末３０は、例えばＵＰｎＰ（Universal Plug and Play）の制御メッセージ等を用いて、各再生装置１０に、サーバ装置２０からコンテンツを取得して再生する指示を送信する。
【００３０】
従ってユーザは、携帯端末３０を操作することで、各部屋に配置された再生装置１０の再生動作を制御することができる。例えば再生装置１０の電源制御（例えばスタンバイ状態とアクティブ状態との切り替え）、コンテンツの再生音量の制御、再生対象となるコンテンツの切り替え、コンテンツのフェードイン／フェードアウト等の種々の制御が可能である。
【００３１】
また図示しないホームゲートウェイを介して、ホームネットワーク１とグローバルネットワークとが接続されているとする。この場合、携帯端末３０を操作することで、グローバルネットワーク上（クラウド上）に存在するコンテンツサーバ内のコンテンツを、各再生装置１０に再生させることも可能である。
【００３２】
また携帯端末３０内に記憶されているコンテンツを、再生装置１０に転送又はストリーミング配信して再生させることや、再生装置１０内のローカルコンテンツを再生させることも可能である。再生装置１０内のローカルコンテンツとは、例えばＣＤやＵＳＢを介して読み込んだコンテンツや、ラジオ等から取り込んだコンテンツである。
【００３３】
本実施形態では、携帯端末３０によりコンテンツを再生することも可能である。例えば携帯端末３０により、サーバ装置２０やグローバルネットワーク上のコンテンツサーバ内のコンテンツが取得されて再生される。あるいは携帯端末３０により、再生装置１０内に記憶されているコンテンツが取得されて再生される。もちろん携帯端末３０内のコンテンツを再生することも可能である。
【００３４】
本実施形態では、携帯端末３０は「再生装置」に相当する。また再生装置１０は、「他の再生装置」に相当する。再生装置１０やサーバ装置２０等の数は限定されない。
【００３５】
本実施形態では、複数の再生装置１０及び携帯端末３０により音楽コンテンツが再生される。しかしながら、本技術は、音楽コンテンツの再生に限定されず、映像等の種々のコンテンツの再生に適用可能である。
【００３６】
再生装置１０としては、例えばテレビジョン装置、ＰＣ（Personal computer）、オーディオビデオレシーバ、ビデオモニタ、又は家庭用ゲーム機器等の、種々のＣＥ（Consumer Electronics）機器が用いられる。また車に搭載される車載オーディオや、ユーザに装着されるヘッドフォン等も再生装置１０として用いられる。
【００３７】
サーバ装置２０としては、例えばＰＣ又はネットワーク対応のＨＤＤ（ＮＡＳ）等が用いられる。携帯端末３０は、典型的にはユーザにより保持可能な構成を有し、スマートフォンやタブレット端末等の種々のＰＤＡ（Personal Digital Assistant）が用いられる。その他、コンテンツを再生可能な種々のコンピュータが用いられてよい。
【００３８】
［携帯端末の構成］
図２は、携帯端末３０の構成例を示すブロック図である。携帯端末３０は、ＣＰＵ（Central Processing Unit）３１、ＲＯＭ（Read Only Memory）３２、ＲＡＭ（Random Access Memory）３３、スピーカ３４、ディスプレイ３５、及びタッチパネル３６を有する。また携帯端末３０は、赤外線（ＩＲ）通信部３７、外部Ｉ／Ｆ（インタフェース）３８、キー／スイッチ３９、及び撮像部４０を有する。さらに携帯端末３０は、ネットワークモジュール４１、及びBluetooth（登録商標）モジュール４２を有する。
【００３９】
ＣＰＵ３１は、携帯端末３０の各ブロックと信号をやり取りして各種演算を行い、再生装置１０へのコンテンツの再生指示や、ディスプレイ３５（タッチパネル３６）へのＧＵＩ（Graphical User Interface）の表示等、携帯端末３０で実行される種々の処理を統括的に制御する。
【００４０】
ＲＯＭ３２は、種々の画像データやメタデータ等のＣＰＵ３１が処理する各種のデータや、アプリケーション等の各種のプログラムを記憶する。ＲＡＭ３３は、ＣＰＵ３１の作業領域として用いられる。アプリケーション等のプログラムが実行される際には、その実行に必要な各種データがＲＡＭ３３へ読み出される。
【００４１】
ＲＯＭ３２に代えて又は追加して、ＨＤＤ（Hard Disk Drive）や、フラッシュメモリ、その他の固体メモリ等の不揮発性メモリが設けられてもよい。そしてこれらの記憶デバイスに、上記した各種のデータやプログラムが記憶されてもよい。
【００４２】
スピーカ３４は、音楽コンテンツの再生やユーザへの音声ガイド等を出力する。ディスプレイ３５は、例えば液晶やＥＬ（Electro-Luminescence）等を用いた表示デバイスであり、種々のＧＵＩ等を表示する。図２に示すように、ディスプレイ３５はタッチパネル３６と一体的に構成される。本実施形態において、スピーカ３４及びディスプレイ３５（タッチパネル３６）は、コンテンツを再生可能な再生部として機能する。
【００４３】
ＩＲ通信部３７は、外部機器とＩＲ通信を実行するためのモジュールである。外部Ｉ／Ｆ３８は、例えばＵＳＢやＨＤＭＩ（登録商標）（High-Definition Multimedia Interface）等の規格に基づいて、外部機器と接続するためのインタフェースである。
【００４４】
キー／スイッチ３９は、例えば電源スイッチ、ショートカットキー等、特にタッチパネル３６では入力できないユーザの操作等を受け付ける。撮像部４０は、例えばＣＭＯＳ（Complementary Metal Oxide Semiconductor）やＣＣＤ（Charge Coupled Devices）センサ等を有し被写体のデジタル画像を生成する。
【００４５】
ネットワークモジュール４１は、ホームネットワーク１に接続するためのインタフェースであり、例えばＷｉＦｉ等の無線ＬＡＮモジュールが用いられる。ネットワークモジュール４１が動作することで、再生装置１０やサーバ装置２０との間で無線通信が可能となる。
【００４６】
Bluetoothモジュール４２は、複数の再生装置１０の各々との間で、Bluetooth規格に準拠した近距離無線通信を実行するためのモジュールである。本実施形態では、ＢＬＥ（Bluetooth Low Energy）規格に準拠した通信（ＢＬＥ通信）、及びClassic Bluetooth規格に準拠した近距離無線通信（ＢＴ通信）が実行可能である。
【００４７】
ＢＬＥ通信及びＢＴ通信を介して、再生装置１０の動作を制御することが可能である。例えばホームネットワーク１に接続されない非ネットワーク対応の再生装置に対しても、ＢＬＥ通信等の近距離無線通信を介して、その動作を制御することが可能である。例えばコンテンツの再生の指示や、電源制御等を実行することが可能である。
【００４８】
またBluetoothモジュール４２は、ＢＬＥ規格に準拠したビーコン信号を受信することが可能である。受信したビーコン信号に含まれる情報はＣＰＵ３１に出力され、各種の処理が実行される。またビーコン信号の強度（電波強度）をもとに、ビーコン信号を出力した機器との距離を算出することも可能である。なお他の規格による近距離無線通信やビーコン信号が用いられてもよい。
【００４９】
上記のようなハードウェア構成を有する携帯端末３０による情報処理は、ＲＯＭ３２等に記憶されたソフトウェアと、携帯端末３０のハードウェア資源との協働により実現される。例えばＣＰＵ３１がＲＯＭ３２等に記憶された本技術に係るプログラム（アプリケーション）をＲＡＭ３３にロードして実行することにより、本技術に係る情報処理方法が実現される。
【００５０】
図２に示すように、本実施形態では、ＣＰＵ３１が所定のプログラムを実行することにより、機能ブロックである装置検出部４３、距離算出部４４、リスト生成部４５、及び再生制御部４６が実現される。これらのブロックを実現するために、ＩＣ（集積回路）等の専用のハードウェアが適宜用いられてもよい。
【００５１】
アプリケーション等のプログラムは、例えばグローバルネットワークから携帯端末３０にインストールされる。あるいは、記録媒体を介してプログラムが携帯端末３０にインストールされてもよい。
【００５２】
図３は、複数の再生装置１０、サーバ装置２０、及び携帯端末３０の接続形態を模式的に示す図である。なお複数の再生装置１０の各々には、ネットワークモジュール１１及びBluetoothモジュール１２がそれぞれ設けられている。
【００５３】
上記でも説明したが、複数の再生装置１０、サーバ装置２０、及び携帯端末３０は、無線ＬＡＮ通信により、アクセスポイント５を介して互いに接続可能である（破線の矢印Ｌ）。携帯端末３０は、制御メッセージ等を送信することで、再生装置１０によるコンテンツの再生動作を制御することができる。
【００５４】
また携帯端末３０は、ＢＬＥ通信等により、各再生装置１０と直接的に接続可能である（実線の矢印Ｎ）。ＢＬＥ通信等により、再生装置１０による再生動作を制御することが可能である。また各再生装置１０のBluetoothモジュール１２により、ビーコン信号５０が出力される。ビーコン信号５０には、再生装置１０の型番等の機器情報やBluetoothアドレス等のユニークなＩＤが含まれる。
【００５５】
［コンテンツの再生制御］
コンテンツ再生システム１００によるコンテンツの再生制御について説明する。まず装置検出部４３による再生装置１０の検出について説明する。
【００５６】
例えばユーザにより、コンテンツ再生システム１００を利用するためのアプリケーションが起動される。ホームネットワーク１を介して、携帯端末３０からデバイス検索メッセージ（M-SEARCHメッセージ）がマルチキャストで送信される。ホームネットワーク１に接続された再生装置１０により、デバイス検索メッセージに応じて、デバイス応答メッセージ（M-SEARCHメッセージ）が返される。これにより再生装置１０が検出される。
【００５７】
検出した再生装置１０に対しては、再生装置１０に関する装置情報が要求される。例えばHTTP GET等のメソッドを用いて生成された要求メッセージが用いられる。装置情報としては、再生装置１０が送信するビーコン信号５０のビーコンＩＤが含まれる。
【００５８】
その他、装置情報には、例えば再生装置１０の型番、機種名、ブランド面、外装色等の機器情報が含まれる。また再生可能なコンテンツの種類等の機能情報が含まれる。また再生装置１０を構成する機能部品、例えばスピーカやアンプ等のシステム情報が含まれる。その他、再生装置１０に関する任意の情報が含まれてよい。取得された装置情報は、携帯端末３０のＲＯＭ３２等に記憶される。
【００５９】
再生装置１０により送信されるビーコン信号５０に基づいて、再生装置１０を検出することも可能である。例えば再生装置１０から所定の間隔で送信されるビーコン信号５０が、携帯端末３０のBluetoothモジュール４２により受信される。この結果、装置検出部４３により、ビーコン信号５０を送信した再生装置１０が検出される。
【００６０】
検出された再生装置１０にＢＬＥ接続の要求が送信され、当該要求に応答することで、携帯端末３０と再生装置１０とがＢＬＥ接続状態となり、ＢＬＥ通信（図３の矢印Ｎ）が確立される。ＢＬＥ接続の要求の送信前に、検出された再生装置１０のリスト等が表示され、ユーザによりＢＬＥ接続を行う再生装置１０が選択されてもよい。
【００６１】
ＢＬＥ通信が確立すると、再生装置１０に対して、再生装置１０に関する装置情報が要求される。ビーコン信号５０に含まれるビーコンＩＤや機器情報等は、ビーコン信号５０の受信とともに取得される。従ってビーコン信号５０に含まれない情報が再生装置１０に要求される。取得された装置情報（ビーコン信号５０に含まれる情報も含む）は、ＲＯＭ３２等に記憶される。
【００６２】
なおＢＬＥ接続は、ペアリングを実行する形態と、ペアリングすることなく接続する形態のいずれもが可能である。ペアリングが実行される場合には、携帯端末３０と再生装置１０との間で、パスキー認証等が実行される。
【００６３】
ＢＴ通信を確立するためには、装置検出部４３により、ＢＴ情報の要求がブロードキャストで送信される。周囲にペアリングモードの再生装置１０が存在する場合には、当該再生装置１０により、Bluetoothアドレス等を含むＢＴ情報が返される。これにより再生装置１０を検出することが可能となる。
【００６４】
検出された再生装置１０にペアリング要求が送信され、当該要求に応答してパスキー認証等が実行されると、携帯端末３０と再生装置１０とがペアリング状態となり、ＢＴ通信が確立する。ペアリングの要求の送信前に、検出された再生装置１０のリスト等を介して、ユーザによりペアリングを行う再生装置１０が選択されてもよい。
【００６５】
ＢＬＥ通信が確立すると、再生装置１０に対して、再生装置１０に関する装置情報が要求される。そしてビーコンＩＤ、機器情報、機能情報、及びシステム情報等を含む装置情報が取得される。取得された装置情報は、携帯端末３０のＲＯＭ３２等に記憶される。
【００６６】
図４は、コンテンツの再生処理の一例を示すフローチャートである。図５〜図８は、携帯端末３０のタッチパネル３６に表示されるＧＵＩの一例である。まずユーザによるコンテンツの再生操作が受付けられる（ステップ１０１）。例えば図５に示すように、タッチパネル３６に表示されたコンテンツリスト６０から、再生したいコンテンツが選択される。当該コンテンツの選択が、再生操作として入力される。もちろんこれに限定される訳ではない。
【００６７】
なおコンテンツリスト６０の生成方法は限定されず、例えばサーバ装置２０や携帯端末３０等に保有されているコンテンツに基づいて生成される。もちろんグローバルネットワーク上のコンテンツサーバが保有しているコンテンツのリストが表示されてもよい。
【００６８】
再生装置１０から送信されるビーコン信号５０のスキャンが実行される（ステップ１０２）。Bluetoothモジュール４２により受信されたビーコン信号５０に基づいて、装置検出部４３により、再生装置１０の近傍検出が実行される。本実施形態では、受信したビーコン信号５０に含まれるビーコンＩＤと、ＲＯＭ３２等に記憶されている装置情報内のビーコンＩＤとが照合され、ビーコン信号５０を送信した再生装置１０が特定される。
【００６９】
なおステップ１０２のビーコン信号５０のスキャンの前に、ネットワーク通信やＢＬＥ通信等を介して再生装置１０が既に検出されている場合に限定される訳ではない。例えばステップ１０２のスキャンにより、初めて再生装置１０が検出される場合もあり得る。この場合、ビーコン信号５０に基づいてＢＬＥ通信が確立され装置情報が取得される。これによりビーコン信号５０を送信した再生装置１０を特定することが可能となる。
【００７０】
本実施形態では、装置検出部４３により、ビーコンＩＤに基づいて特定された再生装置１０が、ユーザにより選択されたコンテンツを再生可能か否かが判定される（以下、条件１と記載する）。また装置検出部４３により、受信されたビーコン信号５０の強度が所定の閾値以上であるか否かが判定される（以下、条件２と記載する）。条件１の判定の結果が肯定であり、条件２の判定の結果も肯定である場合、当該ビーコン信号５０を送信した再生装置１０が近傍の再生装置１０Ｎ（図６参照）として検出される（ステップ１０３）。これにより近傍の再生装置１０Ｎを精度よく検出することが可能となる。なお閾値は任意に設定されてよい。本実施形態では、Bluetoothモジュール４２及び装置検出部４３により、検出部が実現される。
【００７１】
なお本実施形態では、距離算出部４４により、受信されたビーコン信号５０の強度に基づいて、携帯端末３０からビーコン信号を送信した再生装置１０までの距離が算出される。条件２の代わりに、当該算出された距離が所定の閾値以上であるか否かが判定されてもよい。そして当該判定の結果が肯定の場合に、近傍の再生装置１０Ｎとして検出されてもよい。
【００７２】
または条件２の代わりに、ビーコン信号５０の受信の有無が判定されてもよい。この場合、受信したビーコン信号を送信した再生装置１０が近傍の再生装置１０Ｎとして検出される。これにより近傍の再生装置１０Ｎの検出にかかる処理負担を軽減することが可能となる。その他、近傍の再生装置１０Ｎの検出方法は限定されない。例えば条件１は省略して、条件２（距離の判定やビーコン信号の受信の有無の判定に代替可能）のみに基づいて、近傍の再生装置１０Ｎが検出されてもよい。
【００７３】
リスト生成部４５により、再生装置リストが生成される（ステップ１０４）。図６は、再生装置リストの一例を示す模式図である。本実施形態において、再生装置リストは、操作用画像に相当する。
【００７４】
再生装置リスト７０は、自装置である携帯端末３０が表示される第１の領域７１と、検出された１以上の近傍の再生装置１０Ｎの各々が表示される第２の領域７２とを有する。第２の領域７２には、検出された近傍の再生装置１０Ｎが、携帯端末３０により受信されたビーコン信号５０に基づいた順番で表示される。具体的には、受信されたビーコン信号５０の強度が強い順番で、上位か下位へ近傍の再生装置１０Ｎが表示される。すなわち携帯端末３０に近い順番で、近傍の再生装置１０Ｎが表示されている。もちろんビーコン信号５０の強度に代えて、距離算出部４４により算出された距離に基づいて、近傍の再生装置１０Ｎが並べられてもよい。
【００７５】
図６に示すように、再生装置リスト７０内において、第１の領域７１は、第２の領域７２の上位に表示される。第１の領域７１には、携帯端末３０の情報として、携帯端末３０のアイコン７３、機種名、ブランド名、及び自装置である旨の情報（「This Device」）が表示される。これらの情報は、予め携帯端末３０のＲＯＭ３２等に記憶されている。
【００７６】
第２の領域７２には、近傍の再生装置１０Ｎの情報として、近傍の再生装置１０Ｎのアイコン７４、機種名、ブランド名が表示される。また近傍の再生装置１０Ｎの情報として、携帯端末３０から近傍の再生装置１０Ｎまでの距離、及び携帯端末３０との接続形態を示すマーク７５（ＷｉＦｉマーク７５ａ又はBluetoothマーク７５ｂ）が表示される。
【００７７】
アイコン７４は、例えば予めＲＯＭ等に記憶されており、装置情報に基づいて適宜読み出される。または各再生装置１０から取得される装置情報内にアイコン７４が含まれてもよい。あるいはグローバルネットワーク上の所定のサーバから、再生装置１０のアイコン７４が取得されてもよい。機種名及びブランド名は、装置情報に基づいて表示される。携帯端末３０からの距離は、距離算出部４４により算出される。接続形態については、携帯端末３０との通信可能な接続が確立した際に、各再生装置１０ごとに記憶される。
【００７８】
再生制御部４６により、コンテンツの再生が制御される（ステップ１０５）。本実施形態では、コンテンツが自動的に再生される自動再生モードと、ユーザによりコンテンツを再生する再生装置１０が選択される手動再生モードとが実行可能である。典型的には、自動再生モードがデフォルトで設定されている。
【００７９】
自動再生モードでは、再生制御部４６により、再生装置リスト７０の第２の領域７２に表示される１以上の近傍の再生装置１０Ｎから、コンテンツの再生を指示する対象となる再生装置１０が自動的に選択される。例えば第２の領域７２の最上位に表示される近傍の再生装置１０Ｎ、すなわち携帯端末３０を保持するユーザに最も近い再生装置１０Ｎに、コンテンツの再生が自動的に指示される。これによりユーザは、所望の再生装置１０に近づいてコンテンツを選択することで、当該再生装置１０（最上位の再生装置１０Ｎに相当）にコンテンツを再生させることが可能となる。これによりユーザの利便性を向上させることが可能となる。
【００８０】
図７は、コンテンツの再生中に表示される再生画面８０の一例を示す模式図である。再生画面８０は、再生コントロール部８１と、情報表示部８２と、再生装置表示部８３とを有する。再生コントロール部８１には、コンテンツの再生を制御するための複数の制御ボタンや、ボリューム調整バー等が表示される。再生コントロール部８１を操作することで、コンテンツの再生を簡単に制御することができる。
【００８１】
情報表示部８２には、再生中のコンテンツの情報が表示される。例えばコンテンツの名称、アーティスト画像、又は再生位置等が表示される。
【００８２】
再生装置表示部８３には、再生制御部４６により選択された近傍の再生装置１０Ｎが表示される。図７に示す例では第２の領域７２内の最上位の再生装置１０Ｎが選択されており、再生装置１０Ｎのアイコン７４、機種名、ブランド名、及び携帯端末３０からの距離が表示されている。これにより現在コンテンツを表示している再生装置１０を容易に把握することが可能となる。
【００８３】
自動再生モードが設定されている場合には、リスト生成部４５により生成された再生装置リスト７０の表示が省略されてもよい。すなわち図５に示すコンテンツリスト６０からコンテンツが選択されると、再生装置リスト７０を表示することなく、図７に示す再生画面８０が表示されてもよい。
【００８４】
ステップ１０３にて、近傍の再生装置１０Ｎが検出されない場合には、図８に示す再生装置リスト９０が生成される。すなわち第２の領域７２には再生装置１０Ｎが表示されず、近傍の再生装置１０Ｎが検出されない旨を示すテキスト情報等が表示される。
【００８５】
再生制御部４６は、近傍の再生装置１０Ｎが検出されない場合には、自装置である携帯端末３０によりコンテンツの再生を実行させる。すなわち再生部として機能するスピーカ３４等を制御することで、ユーザにより選択されたコンテンツを再生させる。これによりコンテンツが再生されない状況等を回避することが可能となる。なお図８に示す再生装置リスト９０の表示が省略され、携帯端末３０にて再生している旨を示す再生画面が表示されてもよい。
【００８６】
手動再生モードが設定されている場合には、図６等に示す再生装置リスト７０が表示される。そしてユーザにより選択された近傍の再生装置１０Ｎが、コンテンツの再生を指示する対象となる再生装置１０として選択される。選択された近傍の再生装置１０Ｎに対して、コンテンツの再生が指示される。もちろん携帯端末３０が選択される場合もあり得る。その場合は、携帯端末３０によりコンテンツが再生される。
【００８７】
第２の領域７２には、近傍の再生装置１０Ｎが、携帯端末３０を保持するユーザから近い順に並べられる。従ってユーザは、再生装置リスト７０に表示される近隣の再生装置１０Ｎと、目の前に存在する再生装置１０との対応関係を容易に把握することが可能となる。すなわち第２の領域７２の最上位に表示されている近傍の再生装置１０Ｎは、自身から最も近い位置にある再生装置１０である、といった判断を容易に下すことが可能となる。
【００８８】
この結果、所望の再生装置１０を容易に選択することが可能となる。なお本実施形態では、再生装置１０の装置情報に基づいて、アイコン７４や機種名等が表示される。また携帯端末３０からの距離が表示される。これにより再生装置リスト７０内の近隣の再生装置１０Ｎと、目の前にある再生装置１０との対応をさらに容易に把握することが可能となる。この結果、所望の再生装置１０によりコンテンツを再生させることが可能となる。
【００８９】
近傍の再生装置１０Ｎが検出されない場合には、図８に示す再生装置リスト９０が表示される。これによりユーザは、近傍の再生装置１０Ｎが存在しないことを容易に把握することが可能となり、携帯端末３０を保持しながら再生装置１０が検出可能な位置まで移動することが可能となる。あるいは目の前に再生装置１０が存在するにもかかわらずそれが検出されない場合等において、当該再生装置１０の主電源がＯＦＦになっている場合や、他のユーザにより再生動作が規制されている場合等を確認することが可能となる。すなわち再生装置１０が未検出となる原因を確認するきっかけが与えられ、適宜対応することが可能となる。
【００９０】
なお手動再生モードにおいて、近傍の再生装置１０Ｎが検出されない場合には、携帯端末３０により自動的にコンテンツが再生されてもよい。
【００９１】
本実施形態では、コンテンツの再生中に、再生装置１０を変更することが可能である。例えばユーザにより、図７に示す再生画面８０内の再生装置表示部８３が選択される。これにより再生装置１０の変更処理が実行される。もちろん再生装置１０を変更するための操作は限定されず、他の操作が入力されてもよい。
【００９２】
再生装置１０の変更操作が入力されると、ビーコン信号５０のスキャンが実行され、現在における再生装置リストが生成され、タッチパネル３６に表示される。ユーザは、所望の再生装置１０（近傍の再生装置１０Ｎ）を選択することで、コンテンツを再生する再生装置１０を容易に変更することが可能である。第２の領域７２には、距離が近い順番で近傍の再生装置１０Ｎが表示されるので、所望の再生装置１０を容易に選択することが可能である。
【００９３】
再生装置１０の変更操作が入力されて、ビーコン信号５０のスキャンが実行された結果、最も近い再生装置１０が前回のスキャンとは異なったとする。この場合、最も近い再生装置１０として新たに検出された再生装置１０に自動的にコンテンツの再生が指示されてもよい。これにより、例えば携帯端末３０を保持するユーザが移動した場合等において、最も近くにある再生装置１０が変わったとする。この場合、再生装置１０の変更操作を入力するだけで、その最も近くとなった再生装置１０に自動的にコンテンツを再生させることが可能となる。この場合、再生装置リストの表示が省略されてもよい。
【００９４】
以上、本実施形態に係るコンテンツ再生システム１００では、ビーコン信号５０を受信することで、近傍の再生装置１０Ｎが検出される。そして自装置と近傍の再生装置１０Ｎとを含む再生装置リスト７０が生成される。これにより自装置によるコンテンツの再生や近傍の再生装置１０Ｎによるコンテンツの再生等を容易に制御することが可能となり、ユーザの利便性を向上させることが可能となる。
【００９５】
従来、ユーザによりコンテンツを選択して制御装置自身や他の再生装置に再生させる場合には、制御装置に表示される装置選択用のＧＵＩ等を介して再生装置を選択したり、再生装置を切り替えることが必要であった。そのためユーザは、再生装置の選択操作や、再生装置の切り替え操作の方法を学習する必要があった。また選択操作が手間となる場合も多かった。
【００９６】
また従来では、制御装置に表示される装置選択用のＧＵＩに表示される再生装置の並び順は、アルファベット順や再生履歴順となっていた。従ってＧＵＩから所望の再生装置を選択するためには、再生装置の名称（型番等）を記憶しておく必要性があった。
【００９７】
本実施形態では、自動再生モードを設定することで、例えば携帯端末３０を保持するユーザに最も近い再生装置１０（最上位に表示される近傍の再生装置１０Ｎ）に、コンテンツを自動的に再生させることが可能となる。これにより再生装置１０の選択方法の学習が不要となり、再生装置１０を選択する手間も不要となる。この結果、非常に高い利便性が発揮される。
【００９８】
また手動再生モードが設定されている場合でも、再生装置リスト７０の第２の領域７２には、ユーザ（携帯端末３０）から近い順に、近傍の再生装置１０Ｎが表示される。従って、再生装置１０の名称（型番）等を記憶していなくても、目の前に存在する再生装置１０までの距離に基づいて、再生装置リスト７０から所望の再生装置１０を容易に選択することが可能である。このことは、再生装置１０の切り替えにおいても同様であり、非常に高い利便性が発揮される。
【００９９】
また本実施形態では、ビーコン信号５０に基づいて近傍の再生装置１０Ｎが検出される。従って、再生装置１０の近傍検出を行うために近接センサやレンズ等の専用のデバイスを追加して搭載する必要がない。この結果、デバイスコストを十分に抑えることが可能となり、コンテンツの再生を制御する装置（本実施形態では携帯端末３０）や再生装置１０の価格競争力を向上させることが可能となる。
【０１００】
＜その他の実施形態＞
本技術は、以上説明した実施形態に限定されず、他の種々の実施形態を実現することができる。
【０１０１】
図９及び図１０は、再生装置リストの他の例を示す模式図である。図９に示す再生装置リスト１２０では、過去に近傍の再生装置１０Ｎとして検出され、現在は近傍の再生装置１０Ｎとして検出されない再生装置１０Ｐが、再生装置リスト１１０内にて識別可能に表示される。図９に示す例では、背景色がグレーに表示される（グレーアウト）。もちろん識別可能な表示態様は限定されない。
【０１０２】
典型的には、直近の過去のスキャン時に近傍の再生装置１０Ｎとして検出され、今回のスキャンでは検出されない再生装置１０Ｐの情報が、グレーアウトで表示される。もちろんこれに限定されず、過去の所定の回数以内に検出された再生装置１０が表示されてもよい。過去に検出され現在は検出されていない再生装置１０Ｐの表示位置は限定されず、再生装置リスト１１０内の任意の位置に表示されてよい。図９に示す例では、過去に検出された時の携帯端末３０からの距離に基づいて、表示位置が定められている。すなわち現在検出されている近傍の再生装置１０Ｎ、及び過去に検出された再生装置１０Ｐが、各々の検出時の携帯端末３０からの距離の順番に並べられる。
【０１０３】
過去に検出され現在は検出されていない再生装置１０Ｐが識別可能に表示されることで、ユーザは、過去の再生環境等を把握することが可能となり、適当な場所へ移動すること等により、所望の再生環境を実現することが可能となる。例えば過去の再生環境の再現等が容易に可能となる。
【０１０４】
図１０に示す再生装置リスト１２０に関しては、再生制御部４６により、第２の領域７２に表示される近傍の再生装置１０Ｎから、ユーザにより選択されたコンテンツの再生に最適な再生装置１０Ｒが選択される。例えば各再生装置１０の装置情報に含まれる機能情報やシステム情報が参照され、選択されたコンテンツの再生に最適なイコライザ設定が可能な再生装置１０が選択される。あるいは高品質なアンプやスピーカ等を有する再生装置１０が選択される。その他、コンテンツの再生に最適な再生装置１０の選択方法は限定されない。
【０１０５】
図１０に示すように、リスト生成部４５は、再生制御部４６により選択された最適な再生装置１０Ｒを第２の領域７２にて識別可能に表示させる。例えば赤色等の目立つ色を有する枠等を、再生装置１０Ｒの周囲に表示させる。あるいは「最適」や「レコメンド」等のテキストが付されてもよい。その他、識別可能な表示態様は限定されない。
【０１０６】
再生装置リスト１２０内において、最適な再生装置１０Ｒが識別可能に表示されることで、ユーザによる再生装置１０の選択を支援することが可能となり、ユーザの利便性が向上する。
【０１０７】
再生装置リスト１２０に表示される、自装置（携帯端末３０）の情報、及び近傍の再生装置１０Ｎの情報は限定されず、任意の情報が表示されてよい。例えば各再生装置１０から取得される機器情報、機能情報、及びシステム情報等を含む任意の情報が表示されてよい。例えば再生装置１０を構成するスピーカや外装色等を反映して、近傍の再生装置１０Ｎのアイコン７４が生成されてもよい。これにより再生装置１０の選択が容易となる。
【０１０８】
また近傍の再生装置１０Ｎの情報として、第２の領域７２に過去に表示された際の表示の順位が表示されてもよい。例えば現在は、４番目に表示されているとして、過去に２番目に表示されたことがある場合には、その旨が表示される。これにより過去の再生環境等を把握することが可能となる。
【０１０９】
上記では、第２の領域７２に、ビーコン信号５０の強度が強い順番で近傍の再生装置１０Ｎが表示された。これに限定されず、ビーコン信号５０に基づいた他の順番にて、近傍の再生装置１０Ｎが表示されてもよい。例えばビーコン信号５０に含まれる情報に基づいて、表示の順番が定められてもよい。
【０１１０】
自動再生モードにおいて、各再生装置１０の装置情報に基づいて、コンテンツの再生を指示する再生装置１０が選択されてもよい。例えば上記したコンテンツの再生に最適な再生装置１０Ｒに、コンテンツの再生が自動的に指示されてもよい。
【０１１１】
上記では、自装置が表示される第１の領域７１が、近傍の再生装置１０Ｎが表示される第２の領域７２よりも上位に表示された。これにより自装置及び近傍の再生装置１０Ｎを容易に区別して認識することが可能となり、再生装置１０の選択が容易となる。なお第１及び第２の領域７１及び７２の互いの位置関係は限定されず、適宜設定されてよい。
【０１１２】
上記では、ユーザにより選択されたコンテンツを再生可能であり、かつ近傍に位置する再生装置が、近傍の再生装置１０Ｎとして選択された。しかしながらユーザにより選択されたコンテンツを再生可能であるか否かにかかわらず、近傍に位置すると判定された再生装置１０が、近傍の再生装置１０Ｎとして第２の領域７２に表示されてもよい。この場合、ユーザにより選択されたコンテンツを再生できない再生装置１０については、例えばグレーアウトの表示等、識別可能なように表示されてもよい。
【０１１３】
上記では、ステップ１０１にて受付けられる再生操作として、コンテンツリスト６０からのコンテンツの選択を例に挙げた。これに限定されず、音声によりコンテンツが検索され、再生の指示が入力されもよい。例えばユーザにより「（曲名）が聴きたい」等の音声が入力されると、当該曲名のコンテンツを再生する旨の再生操作が受付けられる。ユーザにとっては所望する曲の曲名を音声で入力することで、近傍に位置する再生装置１０による自動再生が実現される。これにより手間をかけることなく音楽や映像等を視聴することが可能となる。
【０１１４】
上記ではユーザにより操作される携帯端末３０等のコンピュータにより、本技術に係る情報処理方法が実行される場合を説明した。しかしながらユーザが操作するコンピュータとネットワーク等を介して通信可能な他のコンピュータとにより、本技術に係る情報処理方法、及びプログラムが実行されてもよい。またユーザが操作するコンピュータと、他のコンピュータとが連動して、本技術に係るコンテンツ再生システムが構築されてもよい。
【０１１５】
すなわち本技術に係る情報処理方法、及びプログラムは、単体のコンピュータにより構成されたコンピュータシステムのみならず、複数のコンピュータが連動して動作するコンピュータシステムにおいても実行可能である。なお本開示において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれもシステムである。
【０１１６】
コンピュータシステムによる本技術に係る情報処理方法、及びプログラムの実行は、例えば近傍の再生装置の検出や再生装置リストの生成が、単体のコンピュータにより実行される場合、及び各処理が異なるコンピュータにより実行される場合の両方を含む。また所定のコンピュータによる各処理の実行は、当該処理の一部または全部を他のコンピュータに実行させその結果を取得することを含む。
【０１１７】
すなわち本技術に係る情報処理方法及びプログラムは、１つの機能をネットワークを介して複数の装置で分担、共同して処理するクラウドコンピューティングの構成にも適用することが可能である。
【０１１８】
以上説明した本技術に係る特徴部分のうち、少なくとも２つの特徴部分を組み合わせることも可能である。すなわち各実施形態で説明した種々の特徴部分は、各実施形態の区別なく、任意に組み合わされてもよい。また上記で記載した種々の効果は、あくまで例示であって限定されるものではなく、また他の効果が発揮されてもよい。
【０１１９】
なお、本技術は以下のような構成も採ることができる。
（１）コンテンツを再生可能な再生部と、
前記コンテンツを再生可能な他の再生装置から送信されるビーコン信号を受信して、近傍に位置する１以上の近傍の再生装置を検出する検出部と、
自装置が表示される第１の領域と、前記検出された１以上の近傍の再生装置の各々が前記受信されたビーコン信号に基づいた順番で表示される第２の領域とを含む操作用画像を生成する生成部と
を具備する再生装置。
（２）（１）に記載の再生装置であって、さらに、
前記１以上の近傍の再生装置が検出されない場合に、前記再生部に前記コンテンツを再生させる再生制御部を具備する
再生装置。
（３）（１）又は（２）に記載の再生装置であって、
前記第１の領域は、前記操作用画像内において、前記第２の領域よりも上位に設定される
再生装置。
（４）（１）から（３）のうちいずれか１つに記載の再生装置であって、
前記生成部は、前記受信されたビーコン信号の強度が強い順番で前記１以上の近傍の再生装置の各々を前記第２の領域に表示させる
再生装置。
（５）（２）に記載の再生装置であって、
前記再生制御部は、前記第２の領域に表示される前記１以上の近傍の再生装置から、前記コンテンツの再生を指示する対象となる前記他の再生装置を選択する
再生装置。
（６）（２）又は（５）に記載の再生装置であって、
前記再生制御部は、前記第２の領域の最上位に表示される前記近傍の再生装置に、前記コンテンツの再生を指示する
再生装置。
（７）（１）から（６）のうちいずれか１つに記載の再生装置であって、
前記生成部は、前記近傍の再生装置の情報として、前記再生装置から前記近傍の再生装置までの距離、及び前記近傍の再生装置に関する装置情報の少なくとも一方を、前記第２の領域に表示させる
再生装置。
（８）（７）に記載の再生装置であって、
前記近傍の再生装置に関する装置情報は、前記近傍の再生装置を構成する機能部品の情報を含む
再生装置。
（９）（１）から（８）のうちいずれか１つに記載の再生装置であって、
前記生成部は、前記近傍の再生装置の情報として、前記第２の領域に過去に表示された際の表示の順位を、前記第２の領域に表示させる
再生装置。
（１０）（１）から（９）のうちいずれか１つに記載の再生装置であって、
前記生成部は、過去に前記近傍の再生装置として検出され、現在は前記近傍の再生装置として検出されない前記他の再生装置を、前記操作用画像内にて識別可能に表示させる
再生装置。
（１１）（１）から（１０）のうちいずれか１つに記載の再生装置であって、
前記生成部は、前記第２の領域に表示される前記１以上の近傍の再生装置から、前記コンテンツの再生に最適な前記近傍の再生装置を選択して、前記第２の領域内にて識別可能に表示させる
再生装置。
（１２）（１）から（１１）のうちいずれか１つに記載の再生装置であって、
前記検出部は、前記受信したビーコン信号の強度が所定の閾値以上である場合に、当該ビーコン信号を送信した前記他の再生装置を前記近傍の再生装置として検出する
再生装置。
（１３）（１）から（１１）のうちいずれか１つに記載の再生装置であって、
前記検出部は、前記受信したビーコン信号を送信した前記他の再生装置を前記近傍の再生装置として検出する
再生装置。
（１４）（１）から（１３）のうちいずれか１つに記載の再生装置であって、
前記ユーザにより保持可能である
再生装置。
【符号の説明】
【０１２０】
１０…再生装置
１０Ｎ…近傍の再生装置
１０Ｐ…過去に検出され現在は検出されない再生装置
１０Ｒ…コンテンツの再生に最適な再生装置
１１…ネットワークモジュール
１２…Bluetoothモジュール
３０…携帯端末
４１…ネットワークモジュール
４２…Bluetoothモジュール
４３…装置検出部
４４…距離算出部
４５…リスト生成部
４６…再生制御部
５０…ビーコン信号
７０、９０、１１０、１２０…再生装置リスト
７１…第２の領域
７２…第の領域
１００…  コンテンツ再生システム
【図１】
2018146982.tif 000003
【図２】
2018146982.tif 000004
【図３】
2018146982.tif 000005
【図４】
2018146982.tif 000006
【図５】
2018146982.tif 000007
【図６】
2018146982.tif 000008
【図７】
2018146982.tif 000009
【図８】
2018146982.tif 000010
【図９】
2018146982.tif 000011
【図１０】
2018146982.tif 000012
【国際調査報告】
2018146982.tif 000013
2018146982.tif 000014
2018146982.tif 000015
2018146982.tif 000016